(57)【特許請求の範囲】
【請求項１】
外箱（２）の背板上部に硬質樹脂製の凹陥した基板ケース（３０）を取り付け、この外箱（２）と内箱間に断熱材を現場発泡方式にて充填して成る冷蔵庫において、
前記基板ケース（３０）は、上端を外箱本体（２Ａ）の天面（２Ｂ）にビス（３３）により固定され、膨張する前記断熱材（４）が進行して来る方向の下端部に、前記外箱側に突出する係合爪（３０Ｂ）を備えると共に、当該外箱（２）には、前記係合爪（３０Ｂ）が挿入係合される係合孔（３１）が形成されていることを特徴とする冷蔵庫。
【発明の詳細な説明】
【０００１】
【発明の属する技術分野】
本発明は、外箱に基板ケースを取り付け、この外箱と内箱間に断熱材を現場発泡方式にて充填して成る冷蔵庫に関するものである。
【０００２】
【従来の技術】
従来よりこの種の冷蔵庫は、例えば実公平６−１２３０１号公報（Ｆ２５Ｄ２３／００）に示される如く、外箱と内箱間に発泡ポリウレタン断熱材を現場発泡方式にて充填すると共に、外箱には断熱材の発泡前に基板ケースを取り付けて置き、この基板ケース内に回路基板を収納してカバーで隠蔽していた。
【０００３】
ここで、従来の基板ケースは、外箱の天面に上端がビス止めされるだけで、下部は固定されていなかった。即ち、基板ケース下部は断熱材の固化によって外箱に固着されるのみであった。
【０００４】
【発明が解決しようとする課題】
そのため、外箱と内箱間に充填され、膨張する発泡ポリウレタンの進行によって、外箱の上部方向に押圧力が加わると、基板ケースがこの押圧力によって変形してしまう場合があった。そして、係る基板ケースの変形により、断熱材の漏洩発生や外観の悪化等の問題が生じていた。
【０００５】
本発明は、係る従来の技術的課題を解決するために成されたものであり、膨張する断熱材による基板ケースの変形を防止し、断熱材の漏洩や外観の悪化の改善を図った冷蔵庫を提供するものである。
【０００６】
【課題を解決するための手段】
本発明の冷蔵庫は、外箱の背板上部に硬質樹脂製の凹陥した基板ケースを取り付け、この外箱と内箱間に断熱材を現場発泡方式にて充填して成るものであり、
前記基板ケースは、上端を外箱本体の天面にビスにより固定され、膨張する前記断熱材が進行して来る方向の下端部に、前記外箱側に突出する係合爪を備えると共に、当該外には、前記係合爪が挿入係合される係合孔が形成されていることを特徴とするものである。
【０００７】
本発明によれば、外箱に基板ケースを取り付け、この外箱と内箱間に断熱材を現場発泡方式にて充填して成る冷蔵庫において、膨張する断熱材が進行して来る方向の基板ケースの下端部に、外箱側に突出する係合爪を設け、上端を外箱に固定すると共に、外箱には、基板ケースの係合爪が係合する係合孔を形成したので、断熱材の進行により基板ケースの下端部側に押圧力が加わっても、係合爪と係合孔との係合によって基板ケースの変形は確実に防止される。
【０００８】
これにより、断熱材の漏洩や外観の悪化を効果的に解消することができるようになると共に、強度も向上する。また、基板ケースの係合爪を外箱の係合孔に挿入係合するのみであるので、組立作業性の悪化も解消されるものである。
【０００９】
【発明の実施の形態】
次に、図面に基づき本発明の実施形態を詳述する。図１は本発明の冷蔵庫１の縦断側面図、図２は本発明の冷蔵庫１の基板ケース３０部分の断熱箱体６の拡大縦断側面図、図３は本発明の冷蔵庫１の外箱２上部の分解背面図である。
【００１０】
冷蔵庫１は、前面と後面に開口した門型形状の外箱本体２Ａ、及び、底板２Ｃと背板２Ｄとより構成された鋼板製の外箱２と、ＡＢＳなどの硬質樹脂製から成形された内箱３間に発泡ポリウレタン等の断熱材４を現場発泡方式にて充填して成る前面開口の断熱箱体６から構成されている。この断熱箱体６の庫内は、上仕切壁８、中仕切壁７及び下仕切壁９によって上下四室に区画されており、上仕切壁８の上方を冷蔵室１１、下仕切壁９の下方を野菜室１２、上仕切壁８と中仕切壁７の間を氷温室１０、中仕切壁７と下仕切壁９の間を冷凍室１３とされている。また、中仕切壁７と下仕切壁９の中間における開口縁には仕切前部材１５が取り付けられている。
【００１１】
そして、冷蔵室１１の前面開口は観音開き式の断熱扉１４によって開閉自在に閉塞されると共に、冷凍室１３及び野菜室１２は、上面開口の容器１６Ａ、１７Ａ、１８Ａを備えた引き出し式の断熱扉１６、１７（冷凍室１３はこれら上下二段）、１８によりそれぞれ開閉自在に閉塞されている。また、氷温室１０も上面開口の容器１９Ａを備えた引き出し式の断熱扉１９により開閉自在に閉塞されている。
【００１２】
また、冷凍室１３の奥部は仕切板２２及び冷却器前板２３にて前後に区画され、冷却器前板の後側に冷却室２４が区画形成されており、この冷却室２４内に冷却器２６が縦設されている。この冷却器２６の中央上方には送風機２９が設けられている。
【００１３】
更に、断熱箱体６の下部には機械室９９が構成されており、この機械室９９内後部には前記冷却器２６と周知の冷凍サイクルを構成する図示しない圧縮機、凝縮器、機械室送風機などが設置されている。
【００１４】
以上の構成で、前記圧縮機及び送風機２９が運転されると、冷却器２６にて冷却された冷却室２４内の冷気は送風機２９により上方に吸い上げられ、前方の冷凍室１３内に吹き出される。そして、冷凍室１３を循環して冷却した後、冷気は冷却室２４内に帰還する。これによって、冷凍室１３は、所定の冷凍温度に維持される。
【００１５】
また、送風機２９より吹き出された冷気の一部は、冷蔵室１１内や氷温室１０内に吹き出され、内部を循環して冷却した後、図示しない帰還ダクトに流入する。帰還ダクト内の冷気は、野菜室１２内に吐出され、内部を冷却した後冷却室２４に帰還する。
【００１６】
一方、冷蔵庫１の外箱２の背板２Ｄ上部には、硬質樹脂製の基板ケース３０が取り付けられている。この基板ケース３０は、図３に示す如く、凹陥した基板収納部３０Ａが形成された矩形状のものであり、その上端を外箱本体２Ａの天面２Ｂにビス３３により固定される。
【００１７】
そして、図２に示す如く基板ケース３０の下端部には、外箱２側に向けて突出する係合爪３０Ｂが数ヶ所設けられていると共に、背板２Ｄには係合孔３１が数ヶ所形成されている。また、基板ケース３０の係合爪３０Ｂの下部は、前記係合孔３１をはめ込み易くするために、下方に向けて突出量が少なくなるテーパー形状とされている。更に、断熱材４である発泡ポリウレタンを注入したときに基板ケース３０を安定的に固定するための埋設片３０Ｃが形成されている。
【００１８】
以上の構成により、外箱２に基板ケース３０を取り付ける際には、外箱本体２Ａの天面２Ｂにビス止めにより基板ケース３０の上端を取り付け、図３に示す如く冷蔵庫１の下方から基板ケース３０の係合爪３０Ｂに背板２Ｄの係合孔３１を嵌めこむ。そして、外箱本体２Ａに底板２Ｃを取り付けて外箱２を完成し、係る外箱２内に内箱３を組み込んだ後、図示しない治具にセットし、現場発泡方式により断熱材４である発泡ポリウレタンを両箱２、３間に充填する。この断熱材４の固化により、外箱２、内箱３及び基板ケース３０は相互に固着される。そして、基板ケース３０には、図示しない回路基板を収納すると共に、隠蔽するための基板カバー３２がビス止めにより取り付けられる。
【００１９】
このとき、両箱２、３間で膨張する発泡ポリウレタン原液（断熱材４）は、図２に矢印で示す如き方向に向かって進行する。このため、断熱材４の膨張圧力は、基板ケース３０の下端に押圧力として加わるが、基板ケース３０の係合爪３０Ｂは背板２Ｄの係合孔３１に係合しており、図２下方から押されても、係合孔３１の上縁（図２）に当接するため、基板ケース３０の下縁が上側に変形することを確実に防止することができる。
【００２０】
これにより、断熱材４が漏洩することや外観の悪化を効果的に解消することができると共に、強度も向上させることができる。また、基板ケース３０の係合爪３０Ｂを外箱背板２Ｄの係合孔３１に挿入係合するのみで組み立てることができるので、組立作業性の悪化も解消することができる。
【００２１】
【発明の効果】
以上詳述した如く本発明によれば、外箱に基板ケースを取り付け、この外箱と内箱間に断熱材を現場発泡方式にて充填して成る冷蔵庫において、膨張する断熱材が進行して来る方向の基板ケースの一端に、外箱側に突出する係合爪を設け、他端を外箱に固定すると共に、外箱には、基板ケースの係合爪が係合する係合孔を形成したので、断熱材の進行により基板ケースの一端側に押圧力が加わっても、係合爪と係合孔との係合によって基板ケースの変形は確実に防止される。
【００２２】
これにより、断熱材の漏洩や外観の悪化を効果的に解消することができるようになると共に、強度も向上する。また、基板ケースの係合爪を外箱の係合孔に挿入係合するのみであるので、組立作業性の悪化も解消されるものである。
【図面の簡単な説明】
【図１】本発明の冷蔵庫の縦断側面図である。
【図２】本発明の冷蔵庫の基板ケース部分の断熱箱体の拡大縦断側面図である。
【図３】本発明の冷蔵庫の外箱上部の分解背面図である。
【符号の説明】
１  冷蔵庫
２  外箱
２Ａ  外箱本体
２Ｂ  天面
２Ｃ  底板
２Ｄ  背板
３  内箱
４  断熱材
６  断熱箱体
１１  冷蔵室
１２  野菜室
１３  冷凍室
１４、１６、１７、１８、１９  断熱扉
２６  冷却器
２９  送風機
３０  基板ケース
３０Ａ  基板収納部
３０Ｂ  係合爪
３０Ｃ  埋設片
３１  係合孔
３２  基板カバー
３３  ビス
【図１】
0003540576.tif 000002
【図２】
0003540576.tif 000003
【図３】
0003540576.tif 000004